Podtech/llm-jp-corpus-v4-ja_patent huggingface dataset:
【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
記録媒体上を往復走査するキャリッジに搭載された記録ヘッドから記録データに基づいてインクを吐出することで前記記録媒体上に記録を行うインクジェット記録装置であって、
前記キャリッジの走査と走査との間に記録を行わない予備吐出を前記記録ヘッドに行わせるように制御する予備吐出制御手段と、
前記予備吐出制御手段による前記予備吐出を行う位置を前記走査方向の前記記録媒体の端部位置に応じて指定する予備吐出位置指定手段とを有することを特徴とするインクジェット記録装置。
【請求項２】
前記記録は、前記記録ヘッドの往方向走査と復方向走査とで行うことを特徴とする請求項１に記載のインクジェット記録装置。
【請求項３】
前記予備吐出制御手段による予備吐出によって吐出されたインクを受容する、前記記録ヘッドの走査範囲の長さ以上の長さをもつインク受容部をさらに有することを特徴とする請求項１に記載のインクジェット記録装置。
【請求項４】
前記予備吐出制御手段による予備吐出によって吐出されたインクを受容するインク受容部を、前記走査方向に関する前記記録媒体の幅に応じて複数有することを特徴とする請求項１に記載のインクジェット記録装置。
【請求項５】
前記記録媒体の端部を検知する検知手段をさらに有することを特徴とする請求項１に記載のインクジェット記録装置。
【請求項６】
前記予備吐出位置指定手段は、前記記録媒体の端部位置に係らず、前記記録媒体の端部位置から所定の距離だけ離した位置に予備吐出を行うように予備吐出位置を指定することを特徴とする請求項１に記載のインクジェット記録装置。
【請求項７】
前記所定の距離を、前記記録時のインク吐出周波数が相対的に高い場合には、前記インク吐出周波数が相対的に低い場合に比べて長く指定することを特徴とする請求項６に記載のインクジェット記録装置。
【請求項８】
前記予備吐出制御手段は、往走査方向或いは復走査方向のいずれかの方向に記録を行った後に予備吐出を行う場合には、該記録終了後、さらに該走査方向に前記記録ヘッドを移動させて予備吐出動作を行なわせるよう制御することを特徴とする請求項１に記載のインクジェット記録装置。
【請求項９】
前記予備吐出位置指定手段は、前記記録を行なった後に前記検知手段によって検知される前記記録媒体の端部についての情報に応じて、予備吐出位置を指定することを特徴とする請求項５に記載のインクジェット記録装置。
【請求項１０】
前記記録ヘッドの往復走査の第１の方向に前記記録ヘッドが記録を行った後に予備吐出を行う場合には該記録の終了後に前記検知手段によって検知される前記記録媒体の端部の情報を記憶し、前記第１の方向とは逆方向の第２の方向に前記記録ヘッドが記録を行った後に予備吐出を行う場合には該記録の終了後に前記検知手段によって検知される前記記録媒体の端部の情報を記憶する記憶手段をさらに有することを特徴とする請求項５に記載のインクジェット記録装置。
【請求項１１】
前記予備吐出制御手段は、前記予備吐出位置指定手段が指定した位置よりも前記記録媒体から離れた位置で前記記録ヘッドの走査中に前記予備吐出を行なわせるよう制御することを特徴とする請求項１に記載のインクジェット記録装置。
【請求項１２】
前記予備吐出制御手段は、前記走査方向の切り換えの前後で前記予備吐出を行なわせるよう制御することを特徴とする請求項１１に記載のインクジェット記録装置。
【請求項１３】
記録媒体上を往復走査するキャリッジに搭載された記録ヘッドから記録データに基づいてインクを吐出することで前記記録媒体上に記録を行なうインクジェット記録装置の予備吐出制御方法であって、
前記キャリッジの走査と走査との間に記録を行わないインクの予備吐出を行う位置を前記走査方向の前記記録媒体の端部位置に応じて指定する予備吐出位置指定工程と、
前記予備吐出を前記記録ヘッドに行わせるよう制御する予備吐出制御工程とを有することを特徴とするインクジェット記録装置の予備吐出制御方法。
【請求項１４】
前記記録媒体の端部を検知する検知工程をさらに有することを特徴とする請求項１３に記載のインクジェット記録装置の予備吐出制御方法。
【請求項１５】
前記予備吐出位置指定工程では、前記記録媒体の端部位置に係らず、前記記録媒体の端部位置から所定の距離だけ離した位置に予備吐出を行うように予備吐出位置を指定することを特徴とする請求項１３に記載のインクジェット記録装置の予備吐出制御方法。
【請求項１６】
前記所定の距離を、前記記録時のインク吐出周波数が相対的に高い場合には、前記インク吐出周波数が相対的に低い場合に比べて長く指定することを特徴とする請求項１５に記載のインクジェット記録装置の予備吐出制御方法。
【請求項１７】
前記予備吐出制御工程は、往走査方向或いは復走査方向のいずれかの方向に記録を行った後に予備吐出を行う場合には、該記録終了後、さらに該走査方向に前記記録ヘッドを移動させて予備吐出動作を行なわせるよう制御することを特徴とする請求項１３に記載のインクジェット記録装置の予備吐出制御方法。
【請求項１８】
前記予備吐出位置指定工程では、前記記録を行なった後に前記検知工程において検知される前記記録媒体の端部についての情報に応じて、予備吐出位置を指定することを特徴とする請求項１４に記載のインクジェット記録装置の予備吐出制御方法。
【請求項１９】
前記予備吐出制御工程は、前記予備吐出位置指定工程において指定された位置よりも前記記録媒体から離れた位置で前記記録ヘッドの走査中に前記予備吐出を行なわせるよう制御することを特徴とする請求項１３に記載のインクジェット記録装置の予備吐出制御方法。
【請求項２０】
前記予備吐出制御工程は、前記走査方向の切り換えの前後で前記予備吐出を行なわせるよう制御することを特徴とする請求項１９に記載のインクジェット記録装置の予備吐出制御方法。
【手続補正２】
【補正対象書類名】明細書
【補正対象項目名】００３１
【補正方法】削除
【補正の内容】
【手続補正書】
【提出日】平成16年7月7日(2004.7.7)
【手続補正１】
【補正対象書類名】明細書
【補正対象項目名】請求項４
【補正方法】変更
【補正の内容】
【請求項４】
前記清掃しやすい層(２２)は、ロートゥス効果を生じる微細構造を備えている、請求項１、２、または３に記載の胴外套外郭。
【手続補正２】
【補正対象書類名】明細書
【補正対象項目名】請求項７
【補正方法】変更
【補正の内容】
【請求項７】
清掃しやすい層を、請求項１に記載の胴外套外郭(２２)上に形成する方法において、
層厚を５μｍよりも薄く、特に約１μｍとし、表面エネルギを５０ｍＮ/ｍよりも低くすることを特徴とする、清掃しやすい層を胴外套外郭上に形成する方法。
【手続補正書】
【提出日】平成16年6月23日(2004.6.23)
【手続補正１】
【補正対象書類名】明細書
【補正対象項目名】特許請求の範囲
【補正方法】変更
【補正の内容】
【特許請求の範囲】
【請求項１】
複数のプリントヘッドと、
プリント媒体の経路と、
複数のウェルでパターニングされた表面を備え、前記ウェルは前記複数のプリントヘッドからインクを集めると共に該インクを前記経路の転写ゾーンに転写する転写ローラと
を備えているプリンタ。
【請求項２】
加圧ローラをさらに備え、前記転写ゾーンは、前記加圧ローラが前記転写ローラに付勢されるときに前記転写ローラと前記加圧ローラとで画定されるようになっている、請求項１に記載のプリンタ。
【請求項３】
前記加圧ローラは、第１の位置と第２の位置との間で可動であり、前記第１の位置にあるときに前記転写ローラに付勢されておらず、前記第２の位置にあるときに前記転写ローラに付勢されている、請求項２に記載のプリンタ。
【請求項４】
前記転写ゾーンの互いに対向する両側にプリント媒体前進ローラをさらに備えている、請求項１に記載のプリンタ。
【請求項５】
複数のプリントヘッドと、
プリント媒体の経路と、
前記複数のプリントヘッドからインクを集めると共に該インクを前記経路の転写ゾーンに転写する転写ローラと、
プリント媒体の先端を制御せずに再トレースするための装置と
を備えているプリンタ。
【請求項６】
転写ローラと、
前記転写ローラの周囲に配設された複数のプリントヘッドと、
前記転写ローラに対して可動であり、前記加圧ローラが前記転写ローラに付勢されるときに前記転写ローラと共に移動ペンを画成し、外面が変形可能な圧力ローラと
を備えているプリンタ。
【請求項７】
前記圧力ローラは、第１の位置と第２の位置との間で可動であり、前記第１の位置にあるときに前記転写ローラに付勢されておらず、前記第２の位置にあるときに前記転写ローラに付勢されている、請求項６に記載のプリンタ。
【請求項８】
複数の固定プリントヘッドと、
転写ゾーンを備えたプリント媒体の経路と、
前記プリントヘッドからインクを集めると共に前記集めたインクを前記転写ゾーンのプリント媒体の部分に転写するための第１の手段と、
前記インクを転写している間、前記プリント媒体の部分を前記第１の手段に付勢するための第２の手段と、
プリント媒体の先端を制御せずに、前記転写ゾーンに前記プリント媒体の先端を再トレースするための手段と、
を備えているプリンタ。
【請求項９】
プリント媒体にプリントするための複数のプリントヘッドを付勢する方法であって、
前記プリント媒体を転写ゾーンに前進させるステップと、
プリントしていない状態で前記プリントヘッドからインクを集めるステップと、
前記移動ゾーンで前記プリント媒体に圧力を付与している間、集めたインクを前記転写ゾーン内にある前記移動ゾーンの前記プリント媒体上に移動させることにより前記プリント媒体にプリントするステップと
を含む、方法。
【請求項１０】
転写ローラには、集めた前記インクまたは移動させた前記インクが使用され、前記インクが転写されている間、前記移動ゾーン内の前記プリント媒体の部分を前記転写ローラに付勢するための前記圧力が適用される、請求項９に記載の方法。
【手続補正書】
【提出日】平成16年10月5日(2004.10.5)
【手続補正１】
【補正対象書類名】明細書
【補正対象項目名】０００６
【補正方法】変更
【補正の内容】
【０００６】
【発明の実施の形態】
本発明は、前記課題、つまり省電力性が高く、庫外側の表面結露を防止し、かつ、軽量でコンパクトな結露防止シートについて、鋭意検討し、表面層、遮熱層、
裏面層からなる複合構造を有する積層体という特定なシート状物をつくってみた
ところ、かかる課題を一挙に解決することを究明したものである。
【手続補正２】
【補正対象書類名】明細書
【補正対象項目名】００１０
【補正方法】変更
【補正の内容】
【００１０】
かかる結露防止性を付与するために、通気性を有するシート状物としてＪＩＳ  Ｌ１０９６に基づいて測定される通気度が０．６〜１００［ｃｃ／ｃｍ2／ｓ
ｅｃ］である布帛を使用することが好ましい。かかる通気度が０．６［ｃｃ／ｃ
ｍ2／ｓｅｃ］未満であると、布帛の表面と裏面で、温度差が生じて結露を発生
する。通気度が１００［ｃｃ／ｃｍ2／ｓｅｃ］を越えると、布帛全面から冷気が漏れ、断熱性と結露防止性が悪くなる。
【手続補正書】
【提出日】平成16年8月2日(2004.8.2)
【手続補正１】
【補正対象書類名】明細書
【補正対象項目名】特許請求の範囲
【補正方法】変更
【補正の内容】
【特許請求の範囲】
【請求項１】
回転軸に保持された眼鏡レンズの周縁を加工する眼鏡レンズ加工装置において、眼鏡レンズの周縁を加工する砥石と、該砥石の加工性能の低下を検知する検知手段と、該検知結果に基づいて前記砥石にドレッシング処理が必要な旨を報知する報知手段と、を備えることを特徴とする眼鏡レンズ加工装置。
【請求項２】
請求項１の検知手段は、前記砥石による加工の進行状態を検出する進行検出手段を備え、検出された加工の進行状態と所定の基準とを比較した結果に基づいて砥石の加工性能の低下を検知することを特徴とする眼鏡レンズ加工装置。
【請求項３】
請求項２の眼鏡レンズ加工装置において、前記進行検出手段はレンズ全周の加工終了を検出する手段であり、前記検知手段は所定の基準時間内にレンズ全周の加工が終了しないときに砥石の加工性能の低下を検知することを特徴とする眼鏡レンズ加工装置。
【請求項４】
請求項２の眼鏡レンズ加工装置において、前記進行検出手段はレンズ全周の加工終了を検出する手段であり、前記検知手段はレンズの所定回転数内にレンズ全周の加工が終了しないときに砥石の加工性能の低下を検知することを特徴とする眼鏡レンズ加工装置。
【請求項５】
請求項２の眼鏡レンズ加工装置において、前記進行検出手段はレンズのある回転角における加工終了を検出する手段であり、前記検知手段は所定の基準時間内にその回転角の加工が終了しないときに砥石の加工性能の低下を検知することを特徴とする眼鏡レンズ加工装置。
【請求項６】
請求項２の眼鏡レンズ加工装置において、前記進行検出手段はあるレンズ回転角の加工の進行量を検出する手段であり、前記検知手段は所定の時間内又は所定のレンズ回転数内における加工進行量と所定の基準量とを比較することにより砥石の加工性能の低下を検知することを特徴とする眼鏡レンズ加工装置。
【請求項７】
請求項２の眼鏡レンズ加工装置において、さらに加工の進行状態を第２の所定基準と比較した結果に基づいて砥石の加工性能の低下を検知する第２の検知手段と、該検知結果に基づいてレンズの加工を停止する加工停止手段と、を備えることを特徴とする眼鏡レンズ加工装置。
【手続補正２】
【補正対象書類名】明細書
【補正対象項目名】０００７
【補正方法】変更
【補正の内容】
【０００７】
（１）  回転軸に保持された眼鏡レンズの周縁を加工する眼鏡レンズ加工装置において、眼鏡レンズの周縁を加工する砥石と、該砥石の加工性能の低下を検知する検知手段と、該検知結果に基づいて前記砥石にドレッシング処理が必要な旨を報知する報知手段と、を備えることを特徴とする眼鏡レンズ加工装置。
（２）  （１）の検知手段は、前記砥石による加工の進行状態を検出する進行検出手段を備え、検出された加工の進行状態と所定の基準とを比較した結果に基づいて砥石の加工性能の低下を検知することを特徴とする。
（３）  （２）の検知手段は、レンズ全周の加工が所定の基準内に終了しなときに砥石の加工性能の低下を検知することを特徴とする。
（４）  （３）の所定の基準とは、加工開始からの時間又はレンズの回転数であることを特徴とする。
（５）  （２）の検知手段は、レンズの所定の回転角における加工が所定の基準時間内に終了しないときに砥石の加工性能の低下を検知することを特徴とする。
（６）  （２）の検知手段は、所定の時間内又は所定のレンズ回転数における加工の進行量が所定の基準値以下のときに砥石の加工性能の低下を検知することを特徴とする眼鏡レンズ加工装置。
（７）  （２）の眼鏡レンズ加工装置において、さらに加工の進行状態を第２の所定基準と比較した結果に基づいて砥石の加工性能の低下を検知する第２の検知手段と、該検知結果に基づいてレンズの加工を停止する加工停止手段と、を備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正書】
【提出日】平成16年2月23日(2004.2.23)
【手続補正１】
【補正対象書類名】明細書
【補正対象項目名】００７７
【補正方法】変更
【補正の内容】
【００７７】
なお、この場合の印刷可能領域（印刷可能エリア、作業可能エリア）ＷＰＡ（図９等参照）のテープＴ下流側（図示左側：Ｘの小さい側）で装置奥側（図２では奥側、図３では左上：Ｙの小さい側）を印刷開始位置ＰＳとして、主走査側（Ｘ側）のホームポジションを検出する主走査ホームポジションセンサＳＨＰＸが主走査ユニット１３上に配置され、副走査側（Ｙ側）のホームポジションを検出する副走査ホームポジションセンサＳＨＰＹが図示（キャリッジＣＲの上端を検出可能な筐体内側）の位置に配置されている。


【手続補正２】
【補正対象書類名】明細書
【補正対象項目名】００８０
【補正方法】変更
【補正の内容】
【００８０】
メイン制御部２０は、ＣＰＵ２１、メモリ２２、アドレスデコーダ２３、リアルタイムクロック２４を備える他、操作部とのインタフェースを行うための操作部入出力（操作部Ｉ／Ｏ）２５や、前述の第１インタフェースＩＦ１を介して通信を行うための画像データ入出力（画像データＩ／Ｏ）２６を備え、装置内で共通に使用される内部バス（ＣＰＵバス）８０により互いに接続されている。ヘッド制御部６０は、第１〜第４ヘッド制御ブロック６１〜６４を有している。なお、アクチュエータ制御部７０も、ヘッド制御部６０と同様に、複数の制御ブロック７１〜７３等を有しているが、ここでは詳細な説明は省略する。


【手続補正３】
【補正対象書類名】明細書
【補正対象項目名】００８８
【補正方法】変更
【補正の内容】
【００８８】
この場合、画像印刷装置１では、図４で前述のように、画像データＩ／Ｏ２６により第１インタフェースＩＦ１を介してＫ個のラインデータを順次受信する。また、印刷対象物のＸ軸方向にＮ（Ｎは２以上の整数）個並べて印刷する場合、図７（ｂ）に示すように、印刷画像ＤＳと同じＮ個の印刷画像Ｄ０（１）〜Ｄ（Ｎ）を印刷する。


【手続補正４】
【補正対象書類名】図面
【補正対象項目名】図２
【補正方法】変更
【補正の内容】
【図２】
2002205429.tif 000001
【手続補正５】
【補正対象書類名】図面
【補正対象項目名】図３
【補正方法】変更
【補正の内容】
【図３】
2002205429.tif 000002
【手続補正６】
【補正対象書類名】図面
【補正対象項目名】図４
【補正方法】変更
【補正の内容】
【図４】
2002205429.tif 000003
【手続補正書】
【提出日】平成17年5月9日(2005.5.9)
【手続補正１】
【補正対象書類名】明細書
【補正対象項目名】００１６
【補正方法】変更
【補正の内容】
【００１６】
このように構成されたフロアパネル１３をサイドメンバ１８ａに組付ける手順を説明する。
先ずカラー２３の直径が小さくなる方向にカラー２３を弾性変形させた状態で、カラー２３をボス２２の通孔２２ａに挿入する。このときスリット２３ａの幅を比較的大きく形成しておけば、カラー２３の直径や通孔２２ａの内径にばらつきがあっても、通孔２２ａの内周面を損傷せずにカラー２３をスムーズに通孔２２ａに挿入できる。またスリット２３ａをクランク状に形成したので、カラー２３を通孔２２ａに挿入するために弾性変形させたとき又はカラー２３を通孔２２ａへ挿入した後に、スリット２３ａの凹部２３ｂと凸部２３ｃが嵌合することにより、換言すれば第１傾斜部２３ｄ，２３ｄと第２傾斜部２３ｅ，２３ｅとが係合することにより、スリット２３ａの一方の縁が他方の縁に対してスリット２３ａの長手方向に位置がずれるのを防止できる。またカラー２３の通孔２２ａへの挿入後のスリット２３ａの幅が１ｍｍ以下になるように形成したので、ボス２２（マウント部）に捩り荷重等が加わっても、スリット２３ａの凹部２３ｂと凸部２３ｃが嵌合する、即ち第１傾斜部２３ｄ，２３ｄと第２傾斜部２３ｅ，２３ｅとが係合することにより、スリットの無いカラーに相当する強度を確保できるとともに、スリットの無いカラーと同様の挿入時の作業性を満足する。
【手続補正２】
【補正対象書類名】明細書
【補正対象項目名】００１７
【補正方法】変更
【補正の内容】
【００１７】
次にサイドメンバ１８ａの被係止孔２８ｃに位置決めピン２８ｄを係止した後に、フロアパネル１３をサイドメンバ１８ａに載せて、フロアパネル１３の位置決め孔２８ｂを上記位置決めピン２８ｄに嵌入する。これによりフロアパネル１３のボス２２の通孔２２ａがサイドメンバ１８ａの透孔１８ｂに一致する。この状態でボルト１９を通孔２２ａ及び透孔１８ｂに挿通する。
【手続補正３】
【補正対象書類名】明細書
【補正対象項目名】００２２
【補正方法】変更
【補正の内容】
【００２２】
なお、上記実施の形態では、フロアパネルとしてトラックの荷台のフロアパネルを挙げたが、電気自動車やハイブリッド車両の合成樹脂製のバッテリトレイのフロアパネルでもよく、フロアパネルを箱状に形成してもよい。
また、上記実施の形態では、カラーのスリットをカラーの長手方向に対してクランク状に折れ曲がって延びるように形成したが、図９に示すようにカラー６３のスリット６３ａをカラー６３の長手方向に平行に延びる加工し易い形状に形成してもよく、或いは図１０に示すようにカラー７３のスリット７３ａをカラー７３の長手方向に対して所定の角度だけ傾斜した状態でカラー７３の長手方向に延びるように形成してもよい。
更に、上記実施の形態では、カラーをボスの内周面に挿入したが、図１１に示すようにカラー８３をボス２２の外周面に嵌入してもよい。この場合、カラー８３には図示しないがカラー８３の長手方向に延びるスリットが形成され、カラー８３の内径はボス２２の外径より僅かに小さく形成されるとともに、カラー８３はその内径をボス２２の外径より大きくする方向に弾性変形可能に構成される。
【手続補正書】
【提出日】平成17年5月9日(2005.5.9)
【手続補正１】
【補正対象書類名】明細書
【補正対象項目名】０００２
【補正方法】変更
【補正の内容】
【０００２】
【従来の技術】
従来、トラックの荷台の両側縁に立設された側壁が、荷台の側部外壁を構成するアウタパネルと、前記荷台の側部内壁を構成するインナパネルとをそれぞれ備え、両パネルの頂部と、これらの頂部の荷台内側で下方に垂下する垂下部と、上記頂部の荷台外側車外側端部から下方に延びる外壁部とを有するトラックの荷台側壁構造が知られている（例えば、特許文献１参照）。このトラックの荷台側壁構造では、インナパネルの頂部がアウタパネルの頂部の下側に配置され、アウタパネルの垂下部がインナパネルの垂下部より荷台内側に位置した状態で、両垂下部が互いに重ね合わされ、その重合部がスポット溶接される。またインナパネルの頂部には、上方に突出するとともに荷台の前後方向に配列された複数の突部が形成され、これらの突部をアウタパネル頂部の下側面に当接させて、当接部以外の両パネルの頂部間と、当接部以外の両パネルの頂部間近傍の外壁部間に隙間が形成されるとともに、インナパネルの垂下部のうち突部に隣接する部分に切欠きが形成される。
【手続補正２】
【補正対象書類名】明細書
【補正対象項目名】００１６
【補正方法】変更
【補正の内容】
【００１６】
このように構成されたトラックの荷台構造では、荷台１２に後方から外力Ｔ（図１）が作用すると、テールゲート２８からロック部材等（図示せず）を介してサイドパネル１４に外力が加わる。サイドパネル１４のトップレール２１は剛性が高く、更にサイドパネル１４上部にてアウタパネル１７とインナパネル１８が固着されて閉断面形状であるため、一層剛性が高い部位となっている。この剛性の高いトップレール２１に剛性変化部である幅変更部２２を設け、この部位にて応力を集中させて変形させることによりエネルギ吸収が可能となる。また幅変更部２２にアウタ開口２４ａ或いはインナ開口２４ｂを設けると、この部位に一層応力が集中するとともに、ノッチ２６ａ或いは凹溝２６ｂを設けると、この部位に更に応力が集中する。このためサイドパネル１４はアウタ開口２４ａ或いはインナ開口２４ｂで変形する。
【手続補正３】
【補正対象書類名】明細書
【補正対象項目名】００２２
【補正方法】変更
【補正の内容】
【００２２】
このように構成されたトラックの荷台構造では、荷台６２に後方から外力Ｔ（図１０）が作用すると、幅変更部７２の前端とサイドレール７７の後端との間に応力が集中するとともに、インナ切欠き部７６ａ及びアウタ切欠き部７６ｂに応力が集中する。このためサイドパネル６４は幅変更部７２の前端とサイドレール７７の後端との間で変形するとともに、インナ切欠き部７６ａ或いはアウタ切欠き部７６ｂで変形する。この結果、上記外力Ｔによるエネルギを荷台６２の変形にて確実に吸収できるので、キャブ１１に伝達される外力が小さくなり、キャブ１１の変形を防止できる。
【手続補正書】
【提出日】平成17年2月23日(2005.2.23)
【手続補正１】
【補正対象書類名】特許請求の範囲
【補正対象項目名】全文
【補正方法】変更
【補正の内容】
【特許請求の範囲】
【請求項１】
コマンドを受信し前記コマンドに基づく制御を実行するプリンタにおいて、
前記コマンドのうちの所定のコマンドを除く他のコマンドを処理することができるマイクロコンピュータと、
所定のコマンドを処理できるハードウェア回路と
を備え、
前記ハードウェア回路は、
前記コマンドを受信するインターフェース手段と、
前記所定のコマンドを予め登録しており、前記インターフェース手段が受信したコマンドが前記予め登録されているコマンドか否かを解析し、前記受信したコマンドが前記予め登録されているコマンドである場合には、該コマンドを処理し、前記受信したコマンドが前記予め登録されているコマンドでない場合には、該コマンドを前記マイクロコンピュータへ転送するコマンド解析手段と
を備える、
プリンタ。
【請求項２】
前記マイクロコンピュータは、ＣＰＵとメモリとを含み、
前記ハードウェア回路は、メモリを有し、
前記マイクロコンピュータと前記ハードウェア回路とはバスで接続されていることを特徴とする、
請求項１記載のプリンタ。
【請求項３】
コマンドを受信し前記コマンドに基づく制御を実行するプリンタにおいて、
前記コマンドのうちの所定のコマンドを除く他のコマンドを処理することができるマイクロコンピュータと、
所定のコマンドを処理できるハードウェア回路と
を備え、
前記所定のコマンドには、イメージデータを含んだイメージデータコマンドがあり、
前記マイクロコンピュータは、ＣＰＵとメモリとを含み、
前記ハードウェア回路は、
メモリと、
前記コマンドを受信するインターフェース手段と、
前記イメージデータコマンドを処理して前記メモリ上にイメージを生成するイメージ処理手段と、
前記所定のコマンドを予め登録しており、前記インターフェース手段が受信したコマンドが前記予め登録されているコマンドか否かを解析するコマンド解析手段と
を備え、
前記受信したコマンドが前記予め登録されている前記イメージデータコマンドである場合には、前記コマンド解析手段が、前記受信したコマンドを前記予め登録されているイメージデータコマンドであると解析して、該イメージデータコマンドを前記イメージ処理手段に転送し、それにより、前記イメージ処理手段が、転送されて来た該イメージデータコマンド内のイメージデータを処理して前記メモリ上にイメージを生成し、
前記受信したコマンドがイメージデータコマンドであっても前記予め登録されていない場合には、前記コマンド解析手段が、前記受信したコマンドを前記予め登録されていないコマンドであると解析して、該コマンドを前記マイクロコンピュータへ転送し、それにより、前記マイクロコンピュータが、転送されて来た該イメージデータコマンド内のイメージデータを処理してイメージを生成する、
プリンタ。
【請求項４】
前記ハードウェア回路が、前記マイクロコンピュータによって生成されたイメージを前記メモリに展開するイメージ展開手段を更に備える、
請求項３記載のプリンタ。
【手続補正２】
【補正対象書類名】明細書
【補正対象項目名】０００２
【補正方法】変更
【補正の内容】
【０００２】
コンピュータシステムで一般に用いられているプリンタは、ホストコンピュータから所定のプリンタ制御言語で記述された一連の印刷コマンドを受け取り、それらの印刷コマンドを順に解釈し、その解釈結果に基づいて印刷動作を行う。従来のプリンタは、ＣＰＵ、ＲＯＭ、ＲＡＭなどからなるマイクロコンピュータを内蔵し、専らこのマイクロコンピュータが、ホストから印刷コマンドを受信し、これを解釈し、その解釈結果に基づいて印刷ヘッド等の機構を駆動及び制御している。
【特許文献１】特開平９−３００５８号公報
【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
車両前後・左右方向に延びる案内孔が設けられたベースプレートと、
前記ベースプレートに取付けられるシャフトと、
車両前後・左右方向に揺動可能とされており、前記ベースプレートの案内孔に挿通され、付勢力をもって定位置に戻るようにされているシフトレバーと、
前記ベースプレートに取り付けられており、車両前後・左右方向に延びる案内溝が設けられたクッションと、
を有し、
前記クッションの、前記シフトレバーの定位置への戻り方向の延長上にある部分に、クッション変形吸収部が設けられているシフトレバー装置。
【請求項２】
車両前後・左右方向に延びる案内孔が設けられたベースプレートと、
前記ベースプレートに取付けられるシャフトと、
車両前後・左右方向に揺動可能とされており、前記ベースプレートの案内孔に挿通され、付勢力をもって定位置に戻るようにされているシフトレバーと、
前記ベースプレートに取り付けられており、車両前後・左右方向に延びる案内溝が設けられたクッションと、
を有し、
前記ベースプレートの、前記シフトレバーの定位置への戻り方向の延長上にある部分に、クッション変形吸収部が設けられているシフトレバー装置。
【請求項３】
前記クッション変形吸収部は前記クッションを上下方向に貫通する空間からなる請求項１記載のシフトレバー装置。
【請求項４】
前記クッション変形吸収部は、前記クッションの、前記シフトレバーの定位置への戻り方向の延長上にある部分にのみ設けられている、請求項１記載のシフトレバー装置。
【請求項５】
前記クッション変形吸収部は、前記ベースプレートの、前記シフトレバーの定位置への戻り方向の延長上にある部分にのみ設けられている、請求項２記載のシフトレバー装置。
【手続補正２】
【補正対象書類名】明細書
【補正対象項目名】０００５
【補正方法】変更
【補正の内容】
【０００５】
上記目的を達成する本発明はつぎの通りである。
（１）  車両前後・左右方向に延びる案内孔が設けられたベースプレートと、
前記ベースプレートに取付けられるシャフトと、
車両前後・左右方向に揺動可能とされており、前記ベースプレートの案内孔に挿通され、付勢力をもって定位置に戻るようにされているシフトレバーと、
前記ベースプレートに取り付けられており、車両前後・左右方向に延びる案内溝が設けられたクッションと、
を有し、
前記クッションの、前記シフトレバーの定位置への戻り方向の延長上にある部分に、クッション変形吸収部が設けられているシフトレバー装置。
（２）  車両前後・左右方向に延びる案内孔が設けられたベースプレートと、
前記ベースプレートに取付けられるシャフトと、
車両前後・左右方向に揺動可能とされており、前記ベースプレートの案内孔に挿通され、付勢力をもって定位置に戻るようにされているシフトレバーと、
前記ベースプレートに取り付けられており、車両前後・左右方向に延びる案内溝が設けられたクッションと、
を有し、
前記ベースプレートの、前記シフトレバーの定位置への戻り方向の延長上にある部分に、クッション変形吸収部が設けられているシフトレバー装置。
（３）  前記クッション変形吸収部は前記クッションを上下方向に貫通する空間からなる（１）記載のシフトレバー装置。
（４） 前記クッション変形吸収部は、前記クッションの、前記シフトレバーの定位置への戻り方向の延長上にある部分にのみ設けられている、（１）記載のシフトレバー装置。
（５） 前記クッション変形吸収部は、前記ベースプレートの、前記シフトレバーの定位置への戻り方向の延長上にある部分にのみ設けられている、（２）記載のシフトレバー装置。
【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】
縦軸を持つ弯曲した縁を有する容器を形成するのに使用するための内及び外表面を持つブランクであって、弯曲した縁を形成するためにブランクの内表面に複数の縦方向の、実質的に平行な、横方向に間隔を置いた縦すじを含み、縦すじのそれぞれが縁の縦軸に実質的に平行な縦軸を持ち、それによりブランクがその縁の縦軸周りに曲げられるときブランクがそれぞれの縦すじで曲がり、従って縁が複数の縦すじに渡って分配されている曲げ撓みのために弯曲させられ、更に縦すじが形成された容器の内側に位置していることを特徴とするブランク。
【請求項２】
ブランクが容器の前及び後面を形成する前パネル及び後パネルを含み、更に形成された容器の前及び後面が平坦であり互いに平行であることを特徴とする請求項１に記載のブランク。
【手続補正書】
【提出日】平成16年7月2日(2004.7.2)
【手続補正１】
【補正対象書類名】明細書
【補正対象項目名】００１９
【補正方法】変更
【補正の内容】
【００１９】
また、肩カバー(２５)は、図１に示す如く、内周枠(３１)の内周に、軸方向に垂直な環状の係合突条(３８)を突設し、この係合突条(３８)を、図４、図５に示す如く、容器カバー(２３)の係合段部(２８)に嵌合する事により、肩カバー(２５)を脱落不能に容器カバー(２３)に固定している。この係合段部(２８)と係合突条(３８)の係合、及び係止部(３０)と係止受部(３７)との係合により、肩カバー(２５)は、上下方向にも進退不能に固定されるものとなる。
【手続補正２】
【補正対象書類名】明細書
【補正対象項目名】００２２
【補正方法】変更
【補正の内容】
【００２２】
また、噴出路(４３)には、この噴出路(４３)と連通する複数の噴射路(４８)を、ブラシ本体(４６)方向に突出形成し、その噴射口(５０)をブラシ本体(４６)の表面側に開口している。尚、複数の噴射路(４８)は、ブラシ本体(４６)の表面に於いて、上下方向に一列に配置している。そして、各々の噴射口(５０)に臨ませて、ブラシ本体(４６)の表面には、図６に示す如く、Ｕ字型で両側からエアゾール内容物が流出できる邪魔板(４４)を設ける事により、噴射口(５０)から噴射されたエアゾール内容物が、ブラシ本体(４６)外へ飛散する事を防止し、ブラシ本体(４６)のクシ歯(４５)間に広く拡散する事を可能としている。
【手続補正３】
【補正対象書類名】明細書
【補正対象項目名】００２７
【補正方法】変更
【補正の内容】
【００２７】
そして、押圧部(５２)を押圧する事により、噴出路(４３)の下端が、ステム(３５)を容器本体(２１)方向に押し下げる。すると、バルブ機構(２４)が開弁し、容器本体(２１)内の染毛剤がステム(３５)を介して噴出路(４３)内に流出する。この染毛剤は、噴出路(４
３)内を流動した後、噴出路(４３)から分岐した複数の噴射路(４８)を介して、噴射口(５０)から外部に噴射される。そして、噴射口(５０)から噴射された染毛剤は、噴射口(５０)に臨ませて配置したＵ字型の邪魔板(４４)に突き当たるので、ブラシ本体(４６)のクシ
歯(４５)から外部に飛散する事がない。その後、染毛剤は、噴射路(４８)の外周と邪魔板(４４)との隙間から、ブラシ本体(４６)の表面に広く拡散され、クシ歯(４５)に付着する。そして、クシ歯(４５)で頭髪を梳かす事により、頭髪に染毛料を塗布して、染毛作業を行う事ができる。
【手続補正４】
【補正対象書類名】明細書
【補正対象項目名】００３０
【補正方法】変更
【補正の内容】
【００３０】
そして、染毛作業が終了したら、再びアクチュエーター(２６)を肩カバー(２５)から取り外して、コンパクトに破棄したり、分別して破棄する事ができる。また、染毛剤が残っている場合は、コンパクトに収納して保存することが可能であるし、次回の染毛作業も、良好に行う事が可能となる。
【手続補正書】
【提出日】平成16年8月6日(2004.8.6)
【手続補正１】
【補正対象書類名】明細書
【補正対象項目名】０００２
【補正方法】変更
【補正の内容】
【０００２】
【従来の技術】
自動二輪車の車体構造は、オートバイ形式のものは、例えば（１）特許第２５９３８６８号のような構造が知られており、又スクータ形式のものとしては、（２）特公昭３７−１６１０６号のような構造が知られている。
上記（１）の車体構造は、自動二輪車に一般的に採用されている構造で、前後のフレームを直接接合して車体フレームを構成し、エンジンは、エンジンハンガー等で車体フレームから吊下げ等して取付、支持している。
スクータ形式の自動二輪車においても、形状や具体的な構造は異なるも、略々（１）と同様の車体構造を採用している。上記（２）の技術では、車体フレームを所謂モノコック構造体で構成し、エンジン、後輪支持用のスイングアームを車体に取付、支持している。
【手続補正書】
【提出日】平成16年8月9日(2004.8.9)
【手続補正１】
【補正対象書類名】明細書
【補正対象項目名】発明の名称
【補正方法】変更
【補正の内容】
【発明の名称】電動車両
【手続補正２】
【補正対象書類名】明細書
【補正対象項目名】特許請求の範囲
【補正方法】変更
【補正の内容】
【特許請求の範囲】
【請求項１】
車体（Ｂ）に搭載される電動モータ（２８）を備え、車体（Ｂ）の押し歩き時に前記電動モータ（２８）のアシスト動力発揮を可能とした電動車両において、非操作位置から第１および第２操作位置への操作を可能とした押し歩き操作手段（７４1 ，７４2 ）と、該押し歩き操作手段（７４1 ，７４2 ）の操作に応じて電動モータ（２８）のアシスト動力を制御するコントローラ（４２）とを含み、押し歩き操作手段（７４1 ，７４2 ）の第２操作位置への操作に応じた電動モータ（２８）によるアシスト動力が前記押し歩き操作手段（７４1 ，７４2 ）の第１操作位置への操作に応じた電動モータ（２８）によるアシスト動力よりも大きく設定されることを特徴とする電動車両。
【請求項２】
路面の傾斜角を検出する傾斜角検出手段（７５）を含み、前記コントローラ（４２）は、前記押し歩き操作手段（７４1 ，７４2 ）が第２操作位置に操作されている状態での電動モータ（２８）の作動を前記傾斜角検出手段（７５）の検出値に基づいて制御べく構成されることを特徴とする請求項１記載の電動車両。
【請求項３】
前記コントローラ（４２）は、前記押し歩き操作手段（７４1 ，７４2 ）が第２操作位置に在る状態での電動モータ（２８）の制御時に路面の段差を乗り越えたことを前記傾斜角検出手段（７５）の検出値に基づいて判断することを可能とするとともに段差乗越え判断に応じて電動モータ（２８）の出力を減小せしめるべく構成されることを特徴とする請求項２記載の電動車両。
【請求項４】
路面の傾斜角を検出する傾斜角検出手段（７５）を含み、前記コントローラ（４２）は、前記押し歩き操作手段（７４1 ，７４2 ）が第１操作位置に操作されている状態での電動モータ（２８）の作動を前記傾斜角検出手段（７５）の検出値に基づいて制御べく構成されることを特徴とする請求項１記載の電動車両。
【手続補正３】
【補正対象書類名】明細書
【補正対象項目名】０００１
【補正方法】変更
【補正の内容】
【０００１】
【発明の属する技術分野】
本発明は、車体に搭載される電動モータを備え、車体の押し歩き時に前記電動モータのアシスト動力発揮を可能とした電動車両に関し、特に、車体を人が押して歩くときの電動モータの制御に関するものである。
【手続補正４】
【補正対象書類名】明細書
【補正対象項目名】０００４
【補正方法】変更
【補正の内容】
【０００４】
本発明は、かかる事情に鑑みてなされたものであり、押し歩き状態での段差乗越え時にも確実にアシスト動力が得られるようにした電動車両を提供することを目的とする。
【手続補正５】
【補正対象書類名】明細書
【補正対象項目名】０００５
【補正方法】変更
【補正の内容】
【０００５】
【課題を解決するための手段】
上記目的を達成するために、請求項１記載の発明は、車体に搭載される電動モータを備え、車体の押し歩き時に前記電動モータのアシスト動力発揮を可能とした電動車両において、非操作位置から第１および第２操作位置への操作を可能とした押し歩き操作手段と、該押し歩き操作手段の操作に応じて電動モータのアシスト動力を制御するコントローラとを含み、押し歩き操作手段の第２操作位置への操作に応じた電動モータによるアシスト動力が前記押し歩き操作手段の第１操作位置への操作に応じた電動モータによるアシスト動力よりも大きく設定されることを特徴とする。
【手続補正書】
【提出日】平成16年8月9日(2004.8.9)
【手続補正１】
【補正対象書類名】明細書
【補正対象項目名】発明の名称
【補正方法】変更
【補正の内容】
【発明の名称】電動車両
【手続補正２】
【補正対象書類名】明細書
【補正対象項目名】特許請求の範囲
【補正方法】変更
【補正の内容】
【特許請求の範囲】
【請求項１】
電動モータ（２８）が車体（Ｂ）に搭載される電動車両において、車体（Ｂ）を人が押し歩くときの押し力を連続的もしくは段階的に検出する押し力検出手段（７４1 ，７４2 ，７４3 ，７４4 ）と、電動モータ（２８）によるアシスト動力を前記押し力検出手段（７４1 ，７４2 ，７４3 ，７４4 ）の検出値に応じて制御するコントローラ（４２）とを備えることを特徴とする電動車両。
【請求項２】
前記コントローラ（４２）が、前記押し力検出手段（７４1 ，７４2 ，７４3 ，７４4 ）の検出値に応じた電動モータ（２８）のアシスト動力を前記押し力検出手段（７４1 ，７４2 ，７４3 ，７４4 ）の検出値の変化度合に応じて増減補正することを特徴とする請求項１記載の電動車両。
【請求項３】
前記コントローラ（４２）が、前記押し力検出手段（７４1 ，７４2 ，７４3 ，７４4 ）の検出値に応じて電動モータ（２８）のデューティ比を制御することを特徴とする請求項１または２記載の電動車両。
【請求項４】
前記コントローラ（４２）が、前記押し力検出手段（７４1 ，７４2 ，７４3 ，７４4 ）の検出値に応じて電動モータ（２８）の出力トルクを制御することを特徴とする請求項１または２記載の電動車両。
【請求項５】
電動モータ（２８）が車体（Ｂ）に搭載される電動車両において、車体（Ｂ）を人が押し歩くときに操作する押し歩きスイッチ（１１０）と、路面の傾斜角を検出する傾斜角検出手段（１１２）および車体（Ｂ）の積載荷重を検出する荷重検出手段（１１１1 ，１１１2 ）の少なくとも一方と、前記押し歩きスイッチ（１１０）の操作時に傾斜角検出手段（１１２）および荷重検出手段（１１１1 ，１１１2 ）の少なくとも一方の検出値に基づいて電動モータ（２８）によるアシスト動力を制御するコントローラ（４２）とを備えることを特徴とする電動車両。
【請求項６】
前記コントローラ（４２）は、車速が設定値以上であるときに電動モータ（２８）による動力アシストを停止することを特徴とする請求項１または５記載の電動車両。
【手続補正３】
【補正対象書類名】明細書
【補正対象項目名】０００１
【補正方法】変更
【補正の内容】
【０００１】
【発明の属する技術分野】
本発明は、電動モータが車体に搭載される電動車両に関し、特に、車体を人が押して歩くときの電動モータの制御に関するものである。
【手続補正４】
【補正対象書類名】明細書
【補正対象項目名】０００４
【補正方法】変更
【補正の内容】
【０００４】
本発明は、かかる事情に鑑みてなされたものであり、車体の押し歩き時にどのような人がどのように押しても、速やかにかつ押し力に応じたアシスト動力が得られるようにした電動車両を提供することを目的とする。
【手続補正５】
【補正対象書類名】明細書
【補正対象項目名】０００５
【補正方法】変更
【補正の内容】
【０００５】
【課題を解決するための手段】
上記目的を達成するために、請求項１記載の発明は、電動モータが車体に搭載される電動車両において、車体を人が押し歩くときの押し力を連続的もしくは段階的に検出する押し力検出手段と、電動モータによるアシスト動力を前記押し力検出手段の検出値に応じて制御するコントローラとを備えることを特徴とする。
【手続補正６】
【補正対象書類名】明細書
【補正対象項目名】００１０
【補正方法】変更
【補正の内容】
【００１０】
請求項５記載の発明は、電動モータが車体に搭載される電動車両において、車体を人が押し歩くときに操作する押し歩きスイッチと、路面の傾斜角を検出する傾斜角検出手段および車体の積載荷重を検出する荷重検出手段の少なくとも一方と、前記押し歩きスイッチの操作時に傾斜角検出手段および荷重検出手段の少なくとも一方の検出値に基づいて電動モータによるアシスト動力を制御するコントローラとを備えることを特徴とする。
【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
表面印刷ユニットと裏面印刷ユニットとの圧胴間で紙を受け渡し、当該紙の両面に印刷を施す両面刷枚葉輪転印刷機において、
前の印刷ユニットに於けるゴム胴と圧胴との間から紙が抜けた後に、各胴間での紙の受け渡しを行いうる胴配列としたことを特徴とする両面刷枚葉輪転印刷機。
【請求項２】
それぞれ圧胴及びゴム胴を有する複数の表面印刷ユニットと複数の裏面印刷ユニットとが交互に配設され、前記表面印刷ユニットと裏面印刷ユニットとの前記圧胴間で紙を受け渡し、当該紙の両面に印刷を施す両面刷枚葉輪転印刷機において、
前記表面印刷ユニットの圧胴とゴム胴との接点である印刷位置から次の前記裏面印刷ユニットの圧胴へのくわえ替え位置までの距離が印刷される紙の長さよりも長くなるように前記裏面印刷ユニットの圧胴を配設するとともに、
前記裏面印刷ユニットの圧胴とゴム胴との接点である印刷位置から次の前記表面印刷ユニットの圧胴へのくわえ替え位置までの距離が印刷される紙の長さよりも長くなるように前記表面印刷ユニットの圧胴を配設したことを特徴とする両面刷枚葉輪転印刷機。
【請求項３】
前記表面印刷ユニット及び前記裏面印刷ユニットはそれぞれ版胴を有し、
前記各表面印刷ユニットの前記圧胴及び前記裏面印刷ユニットの前記圧胴は前記版胴の直径の２倍の直径を有し、前記ゴム胴は前記版胴と同じ直径を有することを特徴とする請求項１又は２記載の両面刷枚葉輪転印刷機。
【手続補正２】
【補正対象書類名】明細書
【補正対象項目名】００１１
【補正方法】変更
【補正の内容】
【００１１】
【課題を解決するための手段】
上記目的を達成するために、本発明に係る両面刷枚葉輪転印刷機は、表面印刷ユニットと裏面印刷ユニットとの圧胴間で紙を受け渡し、当該紙の両面に印刷を施す両面刷枚葉輪転印刷機において、前の印刷ユニットに於けるゴム胴と圧胴との間から紙が抜けた後に、各胴間での紙の受け渡しを行いうる胴配列としたことを特徴とする。
また、それぞれ圧胴及びゴム胴を有する複数の表面印刷ユニットと複数の裏面印刷ユニットとが交互に配設され、前記表面印刷ユニットと裏面印刷ユニットとの前記圧胴間で紙を受け渡し、当該紙の両面に印刷を施す両面刷枚葉輪転印刷機において、前記表面印刷ユニットの圧胴とゴム胴との接点である印刷位置から次の前記裏面印刷ユニットの圧胴へのくわえ替え位置までの距離が印刷される紙の長さよりも長くなるように前記裏面印刷ユニットの圧胴を配設するとともに、前記裏面印刷ユニットの圧胴とゴム胴との接点である印刷位置から次の前記表面印刷ユニットの圧胴へのくわえ替え位置までの距離が印刷される紙の長さよりも長くなるように前記表面印刷ユニットの圧胴を配設したことを特徴とする。
また、前記表面印刷ユニット及び前記裏面印刷ユニットはそれぞれ版胴を有し、前記各表面印刷ユニットの前記圧胴及び前記裏面印刷ユニットの前記圧胴は前記版胴の直径の２倍の直径を有し、前記ゴム胴は前記版胴と同じ直径を有することを特徴とする。
【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】
着けローラを版胴に対して着脱自在に支持する第１レバーと、版胴側に支持された版胴追従カムに接するカムフォロアを支持すると共にルラ上げカムにより前記着けローラを前記版胴から離間させるように移動する第２レバーと、前記着けローラを前記版胴に対して押圧する付勢手段と、前記第１及び第２レバーの相対位置を操作部によって調節し得る調節手段と、を設けたことを特徴とする印刷機のインキ装置。
【請求項２】
前記調節手段は、第１及び第２レバーを連結するねじ棒であって、第１レバーのねじ孔に螺合するねじと第２レバーのねじ孔に螺合するねじとを異ならせたことを特徴とする請求項１に記載の印刷機のインキ装置。
【請求項３】
前記操作部がフレームの端部付近に配設されていることを特徴とする請求項１に記載の印刷機のインキ装置。
【手続補正２】
【補正対象書類名】明細書
【補正対象項目名】００１４
【補正方法】変更
【補正の内容】
【００１４】
【課題を解決するための手段】
上記課題を解決するための本発明に係る印刷機のインキ装置は、着けローラを版胴に対して着脱自在に支持する第１レバーと、版胴側に支持された版胴追従カムに接するカムフォロアを支持すると共にルラ上げカムにより前記着けローラを前記版胴から離間させるように移動する第２レバーと、前記着けローラを前記版胴に対して押圧する付勢手段と、前記第１及び第２レバーの相対位置を操作部によって調節し得る調節手段と、を設けたことを特徴とする。
また、前記調節手段は、第１及び第２レバーを連結するねじ棒であって、第１レバーのねじ孔に螺合するねじと第２レバーのねじ孔に螺合するねじとを異ならせたことを特徴とする。
また、前記操作部がフレームの端部付近に配設されていることを特徴とする。
【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
印影模様の情報を入力する印影模様入力手段と、
インクが浸透するベース層と、その一面に設けられたインクをはじく材質でなる被覆層とでなる長尺状の製版用紙リボンと、
上記印影模様入力手段によって入力された情報から直接又は間接的に定まる１又は複数の印影模様を上記製版用紙リボンの未製版部分にそれぞれ製版させ、印影模様に応じた上記被覆層の局所位置を除去させる製版手段と、
捺印用インクを有し、捺印外力が加わったときに、捺印位置に位置している上記製版用紙リボンの部分に対してインクを供給するインク供給手段と、
上記製版用紙リボンを移動させるものであって、いずれかの印影模様が製版された製版用紙リボンの部分を捺印位置に位置させる製版用紙リボン移動手段と
を有することを特徴とする印章装置。
【請求項２】
上記製版用紙リボン移動手段は、上記製版用紙リボンを双方向に移動可能なものであり、１又は複数の印影模様のうち、外部から指示された印影模様が製版された製版用紙リボンの部分を捺印位置に位置させることを特徴とする請求項１に記載の印章装置。
【請求項３】
上記捺印位置に位置している製版用紙リボンの部分に製版されている印影模様を規定する情報を表示する表示手段をさらに備えたことを特徴とする請求項１又は２に記載の印章装置。
【請求項４】
上記印影模様入力手段を有する第１の装置と、
上記印影模様入力手段以外の構成を有する第２の装置とでなり、
上記第１の装置から上記第２の装置へ通信により、入力された印影模様を転送することを特徴とする請求項１〜３のいずれかに記載の印章装置。
【請求項５】
時刻又は日付情報を一部又は全部に含む印影模様を捺印させる請求項１〜４のいずれかに記載の印章装置において、
現在時刻を計時し、現在時刻が、新たな時刻又は日付情報を含む印影模様の製版を実行する印影模様更新時刻になったときにそのことを通知する計時手段をさらに備え、
上記印影模様入力手段は、印影模様の情報として、時刻又は日付情報を除いた印影模様部分の情報と、時刻又は日付情報の盛り込み方の情報とを入力させ、
上記製版手段は、上記計時手段から上記印影模様更新時刻になった旨の通知があったときに、上記計時手段の現在時刻から定まる時刻又は日付情報を盛り込んだ印影模様を製版させ、
上記製版用紙リボン移動手段は、上記計時手段から上記印影模様更新時刻になった旨の通知があったときに、製版用紙リボンの上記印影模様が製版された部分を捺印位置に移動させる
ことを特徴とする印章装置。